(57)【特許請求の範囲】
【請求項１】
現場パトロールの情報を管理するパトロールサーバと、現場パトロールに携帯し、且つ前記パトロールサーバと情報の送・受信が可能なバーコード付きハンディ端末とを備えた現場パトロールシステムにおいて、前記パトロールサーバは、現場パトロールにおける現場点検項目をマスタ情報として登録・削除・修正するスケジューリング機能を有し、このマスタ情報から必要点検項目、その点検順序、点検日時及び点検機器の規定値情報を含むパトロールパターン情報を複数通り作成し、この複数通りのパトロールパターン情報を前記バーコード付きハンディ端末に選択して送信し、このバーコード付きハンディ端末によるパトロール後の収集データを受信してデータベースに保存するとともに保存したデータを帳票に印字する機能を有し、前記バーコード付きハンディ端末は、前記パトロールサーバから前記パトロールパターン情報を受信しメモリし、現場の点検機器近傍に取付けられたバーコードを読取って前記パトロールパターン情報と照合し、前記点検機器の指示値を格納するとともに前記規定値と照合し当該指示値が規定値外の場合は警報表示を行い、当該点検機器に対する適切な処置後の正常値を格納する機能を有し、さらに前記必要点検項目と点検実施項目のチェックを行い未入力一覧表示を随時行う機能を有することを特徴とする現場パトロールシステム。
【発明の詳細な説明】
【０００１】
【発明の属する技術分野】
本発明は、バーコード付きハンディ端末を用いて、工場、倉庫等の日常的（定期的）なパトロール管理情報を収集し、管理する現場パトロールシステムに関する。
【０００２】
【従来の技術】
製造設備（或いは生産に寄与する設備）は、万が一不慮の故障等で停止した場合には、製造、生産に大きな影響を及ぼす。このため、製造機器の情報を常時自動的に収集し、自動で製造するようなシステムが導入されている場合もある。しかし、自動化する範囲には限りがあり、人間の五感に頼らざるを得ない情報も多々存在する。このために日常のパトロールは必須であり、その業務の製造に寄与するところは大きい。
【０００３】
このパトロール業務の目的は、製造設備の故障を事前に予防する予防保全が大きなポイントで、そのため、パトロール内容の履歴管理による、予知するための情報管理が重要となってくる。ところが、現実的なパトロール業務方法を見てみると、紙と鉛筆を携帯し現場を巡回し、記録してきた情報を事務所の端末から打ち込む、或いは電子化せずに紙のまま台帳に保管する等、予防保全を行えるような状況にはなっていない。このような場合、パトロール後の作業が発生したり、予防保全を行うための履歴管理がなされないため、結局日々の巡回作業に止まり、突発的な事故の防止にはつながらない。
【０００４】
また、最近の動向では、携帯端末を携帯して、パトロールを実施する製品は各種販売されており、上記の傾向は改善されつつあるが、現場で確実に必要な情報を収集する仕組みは無いのが現状である。
【０００５】
【発明が解決しようとする課題】
従来の紙と鉛筆でのパトロール業務或いは携帯端末を使用する場合の課題は、▲１▼記入（登録）ミス等の人為的ミスの削減、▲２▼パトロール箇所の抜けの防止、▲３▼現場パトロール後に事務所に戻って端末に現場情報を打ち込む効率の悪さ、▲４▼パトロール情報の履歴管理不十分、▲５▼自動的な監視制御システムの導入には、多額の費用が必要であり、導入に踏み切れない、また、現場の特性として向かない（五感に頼るところが必要）、が挙げられる。
【０００６】
本発明は、上記に鑑みてなされたもので、人為的なミスを防止してパトロール情報の確実な収集及びデータベース化を行うことができ、必要パトロール箇所の抜けを防止することができ、データベース化作業の効率化を図ることができ、パトロール情報の履歴管理を容易に行うことができてパトロール情報を生かした保全計画を立てることができ、点検機器の異常指示値の判断が瞬時にできて、その対応を迅速に行うことができ、さらに導入コストが安価な現場パトロールシステムを提供することを目的とする。
【０００７】
【課題を解決するための手段】
上記課題を解決するために、請求項１記載の発明は、現場パトロールの情報を管理するパトロールサーバと、現場パトロールに携帯し、且つ前記パトロールサーバと情報の送・受信が可能なバーコード付きハンディ端末とを備えた現場パトロールシステムにおいて、前記パトロールサーバは、現場パトロールにおける現場点検項目をマスタ情報として登録・削除・修正するスケジューリング機能を有し、このマスタ情報から必要点検項目、その点検順序、点検日時及び点検機器の規定値情報を含むパトロールパターン情報を複数通り作成し、この複数通りのパトロールパターン情報を前記バーコード付きハンディ端末に選択して送信し、このバーコード付きハンディ端末によるパトロール後の収集データを受信してデータベースに保存するとともに保存したデータを帳票に印字する機能を有し、前記バーコード付きハンディ端末は、前記パトロールサーバから前記パトロールパターン情報を受信しメモリし、現場の点検機器近傍に取付けられたバーコードを読取って前記パトロールパターン情報と照合し、前記点検機器の指示値を格納するとともに前記規定値と照合し当該指示値が規定値外の場合は警報表示を行い、当該点検機器に対する適切な処置後の正常値を格納する機能を有し、さらに前記必要点検項目と点検実施項目のチェックを行い未入力一覧表示を随時行う機能を有することを特徴とする現場パトロールシステムであって、表示された指示値異常に従い適正処置を施した後のデータを保存し、また未入力の点検項目の一覧表示を確認しながら必要点検項目と点検実施項目のチェックを行いながら現場パトロールを実行する。
【００１１】
【発明の実施の形態】
以下、本発明の実施の形態を図１乃至図３を用いて説明する。
【００１２】
まず、図１を用いて、本実施の形態の現場パトロールシステムの機器構成を説明する。現場パトロールシステムには、現場パトロールの情報を管理するパトロールサーバ１０と、現場パトロールに携帯するバーコード付きハンディ端末２０とが備えられている。パトロールサーバ１０とバーコード付きハンディ端末２０は専用ケーブル１１或いは無線等で接続され、情報のやりとりが可能になっている。
【００１３】
パトロールサーバ１０は、現場パトロールにおける現場点検項目をマスタ情報として登録・削除・修正するスケジューリング機能を有し、このマスタ情報から必要点検項目、その点検順序、点検日時及び点検機器の規定値情報を含むパトロールパターン情報を複数通り作成する。現場パトロールの際は、この複数通りの中から選択したパトロールパターン情報をバーコード付きハンディ端末２０に送信する。これは、現場パトロールは、登録されている現場点検項目の全てを同時に実施するわけではないからである。そして、バーコード付きハンディ端末２０によるパトロール後の収集データを受信してデータベースに保存する。また、パトロールサーバ１０は、データバックアップ機能及び帳票機能を持っている。データバックアップ機能では、定期的にパトロールサーバ１０全体のバックアップ及び古いデータの他メディアへの移動を実施する。帳票機能は、帳票を作成し、自動印字する。帳票としては、パトロール報（パトロール毎の情報の印字）、月報、週報、年報等がある。この帳票機能では、帳票の印字項目修正（追加・削除・変更）も行い、データベースに登録されているデータ項目から検索し、任意な組み合わせで、帳票登録も行う。
【００１４】
バーコード付きハンディ端末２０は、パトロールサーバ１０から受信したパトロールパターン情報をメモリし、その内容に対応した動作を行う。即ち、現場の点検機器近傍に取付けられたバーコードを読取って受信したパトロールパターン情報と照合し、点検機器の指示値を適切なメモリエリア格納するとともに規定値と照合する。そして指示値が規定値外の場合は警報表示を行う。警報表示が行われたときは、適切な処置をとった後、正常値を入力し格納する。また、バーコード付きハンディ端末２０は、パトロール予定の点検項目と点検実施項目のチェックを行う。バーコード付きハンディ端末２０の仕様（適用機器）については、特定しないが、バーコードが内蔵もしくは外付けされ、内部で処理をある程度行えるものであればよい。
【００１５】
また、図１に示すように、パトロールサーバ１０は工場内ＬＡＮ１２とも接続され、クライアント３０からの要求でパトロール情報の閲覧も可能になっている。
【００１６】
現場取付けのバーコードについては、市販のバーコード印字ソフト等を使用するが、パトロールサーバ１０の登録内容はＣＳＶ、テキスト等のファイルでエキスポートされ、容易にバーコードの作成ができるようになっている。
【００１７】
次に、図２及び図３を用いて本実施の形態の動作を説明する。なお、以下の○印内の数字は図２内の○印数字に対応する。事務所のパトロールサーバ１０から選択したパトロールパターン情報（巡回情報）をバーコード付きハンディ端末２０に送信する（▲１▼）。現場のバーコード付きハンディ端末２０は、受信したパトロールパターン情報をメモリし、その内容に対応した動作を行う。図３は、その内容の一例であり、バーコード付きハンディ端末画面の展開例である。バーコード付きハンディ端末２０は、まず、「パトロール（巡回）開始」に入る。パトロールでは次のような作業が行われる。機器取付けのバーコードを読み取るとパトロール情報より該当機器の入力画面が表示される（▲２▼）。テンキー或いはタッチ選択により計器指示値を入力する（▲３▼）。入力データはパトロール情報の規定値と照合され、規定値外のときは警報表示される。この場合、上長と連絡（携帯ＴＥＬ等を携帯）をとり、機器に対し適切な処置後に、正常値を入力する（▲４▼）。パトロール中に随時、未入力データを未入力データ一覧表示で確認し、抜けの無いようにする。そして、未入力データが無いことを確認しつつ事務所に「パトロール終了」を通知する（▲５▼）。この後、バーコード付きハンディ端末２０から事務所のパトロールサーバ１０にパトロール収集データを送信する（▲６▼）。パトロールサーバ１０は受信したパトロール収集データをデータベースに保存積算処理する。必要なデータは、積算を実施後、データベースに保存する（▲７▼）。また、パトロールサーバ１０は帳票処理を実施する（▲８▼）。必要により、パトロール項目の変更・規定値の変更、収集データの修正を実施し、さらにパトロール項目のスケジューリングを行う（▲９▼）。
【００１８】
上述したように、本実施の形態によれば、バーコードでバーコード付きハンディ端末２０の収集データとデータベース化するデータとが一致するため人為的なミスの低減が図れる。パトロールする箇所と実施箇所のチェック機能によりパトロール箇所の抜けの防止ができる。パトロール中に前回指示値も表示され、前回と今回の指示値の比較がなされ、また、規定値とのチェックも同時に行われることから、異常の判断が瞬時にでき、対応が迅速に行える。パトロール中にデータベース化するための入力作業が終了してしまい作業の効率化が図れる。パトロール情報の履歴管理が容易に効率的に行え、パトロール情報を生かした保全計画が立てられる。
【００１９】
【発明の効果】
以上説明したように、請求項１記載の発明によれば、現場パトロールの情報を管理するパトロールサーバと、現場パトロールに携帯し、且つ前記パトロールサーバと情報の送・受信が可能なバーコード付きハンディ端末とを備えた現場パトロールシステムにおいて、前記パトロールサーバは、現場パトロールにおける現場点検項目をマスタ情報として登録・削除・修正するスケジューリング機能を有し、このマスタ情報から必要点検項目、その点検順序、点検日時及び点検機器の規定値情報を含むパトロールパターン情報を複数通り作成し、この複数通りのパトロールパターン情報を前記バーコード付きハンディ端末に選択して送信し、このバーコード付きハンディ端末によるパトロール後の収集データを受信してデータベースに保存するとともに保存したデータを帳票に印字する機能を有し、前記バーコード付きハンディ端末は、前記パトロールサーバから前記パトロールパターン情報を受信しメモリし、現場の点検機器近傍に取付けられたバーコードを読取って前記パトロールパターン情報と照合し、前記点検機器の指示値を格納するとともに前記規定値と照合し当該指示値が規定値外の場合は警報表示を行い、当該点検機器に対する適切な処置後の正常値を格納する機能を有し、さらに前記必要点検項目と点検実施項目のチェックを行い未入力一覧表示を随時行う機能を有することを特徴とする現場パトロールシステムであって、単に指示値異常を表示するに止まらずその後の適正処置後のデータを保存することが出来ることにより、現場での迅速な対応の確認ができ、作業の効率化が図れるとともに信頼性の高いパトロールを行うことができ、また巡視点検データに従って単に点検するのではなく、必要点検項目と点検実施項目のチェックを行い未入力の点検項目を随時一覧表示することにより、作業の抜けが無くなり、点検漏れによるパトロールの再実施等の無駄な作業の発生を防止できる
【図面の簡単な説明】
【図１】本発明の実施の形態である現場パトロールシステムの機器構成を示す構成図である。
【図２】上記実施の形態の機能を説明するための図である。
【図３】上記実施の形態におけるバーコード付きハンディ端末画面の展開例を示す図である。
【符号の説明】
１０  パトロールサーバ
２０  バーコード付きハンディ端末
【図１】
0003773781.tif 000002
【図２】
0003773781.tif 000003
【図３】
0003773781.tif 000004